(57)【要約】【課題】自動と手動との双方の使用によるしゃくり動作が可能で、構造の簡素化、そして釣り人が持ち運び携帯し易いコンパクト化が図られた自動・手動兼用のしゃくり装置を提供する。【解決手段】船縁Ｃ等に取り付けられる自動しゃくり部Ａ−１と、竿保持部Ａ−２とで構成され、自動しゃくり部Ａ−１は、モータ６を内蔵する本体部１と、本体部１上に揺動可能に備えられると共に、竿保持部Ａ−２が備えられる揺動部２と、モータ６の回転運動を揺動部２の上下運動に変換するように、揺動部２とモータ６の出力軸６−１とを連結する連結機構３と、揺動部２と本体部１との間に備えられて揺動部２を略水平状態に保持する保持機構４とを備え、竿保持部Ａ−２は、揺動部２上に備えられる基台２６と、基台２６の前後部位に備えられて釣竿Ｂの元竿Ｂ−１側を支え保持する竿受け部５−１，５−２とを備えている。【選択図】図１
2006238860.tif 000002
【特許請求の範囲】
【請求項１】
船縁等に取り付けられる共に釣竿の元竿側を保持し、この保持側を揺動部として魚を誘うように釣竿を上下させるしゃくり装置において、
船縁等に取り付けられる自動しゃくり部と、この自動しゃくり部上に備えられる竿保持部とで構成され、
上記自動しゃくり部は、モータを内蔵する本体部と、
この本体部上に揺動可能に備えられて前記モータからの動力により上下動すると共に、上記竿保持部が備えられる揺動部と、
少なくとも上記モータの回転運動を上記揺動部の上下運動に変換するように、揺動部とモータの出力軸とを連結する連結機構と、
更に、上記揺動部と本体部との間に備えられて釣り人により釣竿を上下動作させるに際して前記揺動部を略水平状態に定着保持する保持機構とを備えてなり、
上記竿保持部は、少なくとも上記揺動部上に着脱自在に載承される基台と、この基台に前後回動自在で尚且つ固定自在に備えられて釣竿を着脱自在に保持するための竿受け部とを備えていることを特徴とする船釣り用しゃくり装置。
【請求項２】
請求項１記載の連結機構が、少なくとも揺動部とモータの出力軸との連結距離を適宜可変し得るように構成されていることを特徴とする船釣り用しゃくり装置。
【請求項３】
請求項１記載の竿受け部が、基台の前後２ヶ所に備えられ、その何れが一方側が下端軸支部を支点に起倒動自在とする腕杆を介して該腕杆の上端に前後回動自在に備えられて、釣り人により釣竿を上下動作させるに際して腕杆を起立させることにより、前記上下動作の揺動支点となるようにしたことを特徴とする船釣り用しゃくり装置。
【請求項４】
請求項３記載の腕杆に備えられる竿受け部が雄側連結部と成し、竿方向要所において釣竿に備えられている２ケ所の雌側連結部が係脱差し換え自在に保持されるようにしたことを特徴とする船釣り用しゃくり装置。
【発明の詳細な説明】
【技術分野】
【０００１】  本発明は、船釣り用しゃくり装置に係り、詳しくは船縁等に取り付けられて釣竿を保持し、魚を誘うように釣竿を上下動させる。所謂釣竿のしゃくり動作を行うために釣竿を保持させるしゃくり装置に関する。
【背景技術】
【０００２】  従来のしゃくり装置としては種々の構造形態のものが提案され、知られている（例えば特許文献１及び特許文献２等が知られている）。【０００３】  ところで、特許文献１に開示されているしゃくり装置は、釣竿のしゃくり動作をモータからの動力により自動的に行われるように構成されているものであるが、海底の地形等によっては自動しゃくり動作ではなく、釣り人自身が行う手動しゃくり動作が有効である場合がある。
即ち、海底の地形は平らな所や、岩場やその他によって高低差、つまり水深差がある岩棚等がある凸凹な所があり、平らな海底は仕掛けを棚まで降ろして自動によるしゃくり動作が有効であるとされているが、岩棚等がある凸凹な海底地形では仕掛けや釣針等が岩場や海草等に引っ掛かってしまう等の問題が発生し易く、特に凸凹高低差が棚状の地形の所では仕掛けを魚が泳いでいる深さ（棚）まで降ろし切れない状態或いは同深さを通過させてしまった状態で自動しゃくり動作が行われる等の勘違いが起き易い等から、船縁等に釣竿の元竿側一ヶ所を回動自在（揺動自在）に保持させて釣り人自身が手探りしながら釣竿を上下に動かす（揺動させる）手動によるしゃくり動作が理想とされている。【０００４】  また、特許文献１のしゃくり装置は、しゃくり動作の上下揺動範囲を変える場合にはカム部材自体を他のカム部材と交換しなければならない。つまり、モータの出力軸（駆動軸）に対するカム部材の脱着が必要となり、ましてや、船縁にクランプ等によって取り付け設置されるケース内に内蔵されているカム部材を脱着しなければならない等から、その脱着が面倒で手間が掛かる等から使い勝手が非常に悪く、好ましいものではなかった。【０００５】  一方、特許文献２において開示されているしゃくり装置は、前述した凸凹な海底地形において有効とされる手動（片手）でしゃくり動作を行うことができるように構成されたものである。
【特許文献１】特開平７−２５０６００号
【特許文献２】特開平９−２３３９８４号
【発明の開示】
【発明が解決しようとする課題】
【０００６】  本発明が解決しようとする課題は、自動と手動との双方の使用によるしゃくり動作が可能で、構造の簡素化、そして釣り人が持ち運び携帯し易いコンパクト化が図られ、しかも、低コストでの提供を可能にした自動・手動兼用タイプのしゃくり装置を提供することにある。
また、本発明の他の課題としては、しゃくり動作ではなく、釣竿を船縁等に固定して使用する船釣としても使用することができるしゃくり装置を提供することにある。
【課題を解決するための手段】
【０００７】  上記課題を解決するために本発明は、請求項１では、船縁等に取り付けられる共に釣竿の元竿側を保持し、この保持側を揺動支点として魚を誘うように釣竿を上下動させるしゃくり装置において、船縁等に取り付けられる自動しゃくり部と、この自動しゃくり部上に備えられる竿保持部とで構成され、
上記自動しゃくり部は、モータを内蔵する本体部と、この本体部上に揺動可能に備えられて前記モータからの動力により上下動すると共に、上記竿保持部が備えられる揺動部と、少なくとも上記モータの回転運動を上記揺動部の上下運動に変換するように、揺動部とモータの出力軸とを連結する連結機構と、更に、上記揺動部と本体部との間に備えられて釣り人により釣竿を上下動作させるに際して前記揺動部を略水平状態に定着保持する保持機構とを備えてなり、
上記竿保持部は、少なくとも上記揺動部上に着脱自在に載承される基台と、この基台に前後回動自在で尚且つ固定自在に備えられて釣竿を着脱自在に保持するための竿受け部とを備えていることを特徴とする船釣り用しゃくり装置にある。【０００８】  そして、本発明では、上記連結機構が、少なくとも揺動部とモータの出力軸との連結距離を適宜可変し得るように構成されていることが好適なものとなる（請求項２）。
また、上記竿受け部が、基台の前後２ヶ所に備えられ、その何れか一方側が下端軸支部を支点に起倒動自在とする腕杆を介して該腕杆の上端に前後回動自在に備えられて、釣り人により釣竿を上下動作させるに際して腕杆を起立させることにより、前記上下動作の揺動支点となるように構成することが好適なものとなる（請求項３）。
更に、上記腕杆に備えられる竿受け部が雄側連結部と成し、竿方向要所において釣竿に備えられている２ケ所の雌側連結部を係脱差し換え自在に連結保持させるようにすることが好適なものとなる（請求項４）。
【発明の効果】
【０００９】  本発明のしゃくり装置は叙上の如く構成してなることから下記の作用効果を奏する。
請求項１記載の構成によれば、釣竿を自動しゃくり動作させる場合には竿保持部の竿受け部に釣竿の元竿側を固定的に保持させ、モータの動力により揺動部を上下動させることで、釣竿の竿先を自動で上下させることができる。そして、釣り人自身による手動しゃくりの場合には保持機構によって揺動部を略水平に保持させる。つまり、船縁の上縁面と略平行となるよう定着保持させ、尚且つ、竿保持部の竿受け部を回動し得るようにすることで、該竿受け部を揺動支点として釣り人自身による手動しゃくり動作が可能となる。
また、揺動部を略水平に定着保持させ尚且つ竿受け部を回動不能に固定せしめた状態で該竿受け部に釣竿を保持させることで、釣竿をしゃくり動作させずに行う例えば磯釣りや投げ釣り等ように一定の時間釣竿を固定させた状態での使用をも可能となる。
従って、自動によるしゃくり動作が有効な海底地形ではモータによる自動しゃくりを行うことができ、そして、手動によるしゃくり動作が有効な海底地形では釣り人自身による手動しゃくりを行うことができ、更には磯釣りや投げ釣り等のように釣竿を固定した状態でも使用することができる等の汎用性の高いしゃくり装置を提供することができる。【００１０】  請求項２記載の構成によれば、前述の請求項１記載の作用に加えて、連結機構によりモータの出力軸と揺動部との連結距離を適宜変更することで、しゃくり動作範囲（上下動範囲）を大きくしたり、小さくしたり、そして、しゃくり動作速度を変更し得る等、しゃくり動作の作動パターンを釣り場の状況や釣り上げる魚の種類等に合わせて自由に調節変更することができることで、使用上の利便性を頗る向上させることができる。【００１１】  請求項３記載の構成によれば、前述の請求項１及び２記載の作用に加えて、揺動部上に備えられる基台の前後２ヶ所に備えた竿受け部に釣竿を２点支持構造で保持させることができることで、揺動部上に釣竿をガタ付いたり、振ら付いたりしない安定させた状態で保持させることができる。従って、特に大型のリールを備えた重い釣竿を用いた自動しゃくり動作に有効なしゃくり装置となる。【００１２】  また、請求項３記載の構成によれば、手動しゃくり動作を行うに際して腕杆を起立させ、該腕杆上端の回動自在な竿受け部に釣竿を保持させることで、他方の竿受け部との干渉等を気にすることなく、釣り人が望む上下操作範囲にて釣竿をしゃくり動作させることができる。例えば、魚が泳いでいる深さ（棚）まで仕掛けを降ろした直後に籠に入れた餌を周辺に撒く場合には竿を素早く、小さく上下させ、その後においては上下操作範囲を大きくゆったりとさせて竿を上下させる等の手動しゃくり動作による船釣りが可能となる。【００１３】  更に、請求項４記載の構成によれば、前述の請求項３記載の作用に加えて、自動しゃくり動作時における２点支持構造と、手動しゃくり動作時における回動１点支持構造との切り換えを行うに際しての竿受け部に対して釣竿の着脱が、釣竿側に備えられている２ヶ所の雌側連結部の雄側連結部に対する抜き差し換えによって行うことができることで、取扱い性に優れ、利便性の高いしゃくり装置を提供することができる。
【発明を実施するための最良の形態】
【００１４】  本発明の最良の実施形態を図１〜図６に基づいて説明する。
【実施例１】
【００１５】  図１は、本発明しゃくり装置の実施形態の一例を示し、装置本体Ａは、船縁Ｃ等に着脱自在に取り付けられる自動しゃくり部Ａ−１と、この自動しゃくり部Ａ−１上において釣竿Ｂの元竿Ｂ−１側を着脱自在に保持する竿保持部Ａ−２とで構成され、該竿保持部Ａ−２に釣竿Ｂの元竿Ｂ−１側を前後２点支持構造で保持させ、自動しゃくり部Ａ−１の後述する揺動部２をモータ６によって上下動させることで、釣竿Ｂの竿先側を上下動させる自動しゃくり動作が行われるようにしている。【００１６】  そして、釣り人自身が手動で釣竿Ｂをしゃくり動作させる場合には、自動しゃくり部Ａ−１の揺動部２を略水平な状態で不動に保持させる。つまり、船縁Ｃの上縁面と略平行となるよう定着保持させ、尚且つ、竿保持部Ａ−２の後述する竿受け部５−１，５−２の内、竿受け部５−１側に釣竿Ｂの元竿Ｂ−１側を１点支持構造で前後回動し得るように保持させることで、該竿受け部５−１を揺動支点として釣り人自身により釣竿Ｂの竿先側を上下動させる手動しゃくり動作が行われるようにしている。【００１７】  自動しゃくり部Ａ−１は、出力軸６−１を外部に突出させるモータ６を内臓する略ボックス形状に形成される本体部１と、この本体部１上に前端側（船外側）が軸支され、該軸支部Ｐを支点に前記モータ６からの動力により後端側（船内側）を上下動させる揺動部２と、この揺動部２の後端側と上記出力軸６−１とを連結する連結機構３とを備えている。
更に、自動しゃくり部Ａ−１は、前記揺動部２と本体部１との間に備えられて釣り人により釣竿Ｂを上下動させるに際して、前記揺動部２を略水平状態に定着保持するための保持機構４を備えている。【００１８】  本体部１は、内部中空の箱型に形成されて、下面に備えた船縁取付台座７に抜差し自在な折れピン８止めによってクランプ機構９を取り付け、該クランプ機構９を船縁Ｃに取り付けることによって、該船縁Ｃに着脱自在に取付設置されるものであり、一側壁面（船内側壁面）１−１から出力軸６−１を突出させた状態で内部にモータ６を内蔵させている。
また、本体部１は、図示のように、前記一側壁面１−１から上壁面１−２に亘り傾斜壁面１−３と成し、上壁面１−２に軸支により備えられる揺動部２が、当該軸支部Ｐを支点に上下に揺動する動きが干渉されないようにしている。【００１９】  因みに、上記折れピン８は、図３に示すように、一端に抜止頭部を備えると共に他端挿し込み側を、軸支部を支点に折れ曲がり自在に形成されている。【００２０】  クランプ機構９としては特に限定されるものではないが、本例では、左右において対向する一対の挟持部９−１の下部に締付けボルト９−２を備えている。【００２１】  挟持部９−１は、横断が略Ｌ字形を呈する枠材を用いて側面視略縦長の略コの字形状に形成され、上記船縁取付台座７を挟み込む程度の間隔をおいて並列状に連結されている。
そして、船縁Ｃの上縁面に宛がわれる両挟持部９−１の上部水平杆部９−１０には前記船縁取付台座７に開口されているピン連結孔１０と対向する部位にピン連結孔１１を開口し、折れピン８によって船縁取付台座７が係脱自在に取り付けられるようにしている。【００２２】  締付けボルト９−２は、上記水平杆部９−１０と平行に突出する両挟持部９−１の下部取付部９−１１に上下貫通状に螺装され、下部に設けたハンドル９−２０操作により、上部に設けた座部９−２１を船縁Ｃの下縁面に締付け宛がうことで、該船縁Ｃを水平杆部９−１０とによって上下から挟持する。換言すれば、締付けボルト９−２の座部９−１２と水平杆部９−１０とによって船縁Ｃに着脱自在に取り付けられるようにしている。【００２３】  図中１２は、本体部１の平らな上壁面１−２に備えたヒンジ部であり、このヒンジ部１２に揺動部２の一端側がピン等によって回動自在に軸支されるようにしている。【００２４】  モータ６は、ギアボックス付電動モータであり、上記一側壁面１−１から出力軸６−１を外部に突出させた状態でその内側に外部からのネジ止め等によって本体部１内に取り付け内蔵され、本体部１に備えられるパワースイッチ１３により電源が通電されて動作し、且つ、速度調節摘み１４によって回転速度が任意に調節設定されるようにしている。【００２５】  揺動部２は、適宜の長さを有する平面視略横長矩形状を呈する断面略コの字形に折り曲げ加工され、その短辺一端側における長辺両側に上記ヒンジ部１２を挟み込むようにセットされてピン等によって軸支されるヒンジ部１５を備えている。
そして、短辺他端側における上面部には抜差し自在な折れピン１６止めによって、上記竿保持部Ａ−２を着脱自在に載承セットするための取付部１７が備えており、更に、同下面側には連結機構３の上端側を連結する連結部１８が備えられている。【００２６】  尚、図示を省略しているが、ピン等によって軸支される上記両ヒンジ部１２，１５には塩分等によって腐食し難く、潤滑性に優れた例えば合成樹脂材料等からなる軸受が内在されており、この軸受は磨耗した際等には簡単に交換できるようにしている。【００２７】  取付部１７は、図示のように、揺動部２の両側長辺縁に沿うように両側に起立壁１７−１を有する平面視略四角形状で断面が略コの字形を呈し、揺動部２上に溶着（融着）やネジ止め等によって取り付けられると共に、両起立壁１７−１にはピン連結孔１９が開口されている。【００２８】  連結部１８は、連結ボルト２０を備えて揺動部２への取付軸支部を支点に前後方向にフラップや蝶番のように動くように揺動部２の揺動側下面に取り付けられて、連結機構３の上端側が連結ボルト２０にナット２１止めによって連結されるようにしている。【００２９】  連結機構３は、本体部１の一側壁面１−１から突出するモータ６の出力軸６−１と揺動部２とを連結せしめると共に、出力軸６−１の回転運動を揺動部２の上下運動に変換する役目を成すもので、出力軸６−１に対して直交状に取り付けられる回転部３−１と、この回転部３−１の回転開放端側にピン止めによって下端側が回動自在に連結され、上端側が上記連結部１８の連結ボルト２０にナット２１止めよって連結保持される上下変換部３−２とで構成されている。【００３０】  回転部３−１は、所要の長さを有する帯板であり、その一端側に上下変換部３−２の下端側を係脱回動自在に連結するための連結ボルト２２を直交状に備えている。【００３１】  上下変換部３−２は、出力軸６−１の回転運動を上下運動に変換すると同時に、出力軸６−１と揺動部２との連結距離を可変する役目を成すものであり、図４に示すように、所要の長さを有する帯板の要所２ヶ所を相反する方向に鈍角に折り曲げることによって、上下部に垂直片部３−２０，３−２１を、中間部に傾斜片部３−２２を備えた曲げ形状と成している。
そして、上部の垂直片部３−２０に上記連結ボルト２０に差し込み連結されてナット２１止めされる取付孔部２３を備え、下部の垂直片部３−２１には回転部３−１の連結ボルト２２に抜差し係脱自在に差し込まれてナット２３止めによって連結されると共に、前記連結距離を可変するための複数の連結兼可変孔部２４を図４及び図５に示すように、長さ方向に連ねた状態で備えている。【００３２】  尚、図示を省略しているが、連結ボルト２０，２２によって軸支連結される上下変換部の上下の取付孔部２３と連結兼可変孔部２４には塩分等によって腐食し難く、潤滑性に優れた例えば合成樹脂材料等からなる軸受が内在されており、この軸受は磨耗した際等には簡単に交換できるようにしている。
また、上下変換部３−２を、所定の長さを有する螺子軸とその上下端側に螺合により備えられる連結部とを有する長さ可変自在なタンバック方式として、上下の連結部を連結ボルト２０，２２に軸支連結させて連結機構３を構成するも良い。【００３３】  保持機構４は、釣り人自身により釣竿Ｂを上下動させる手動しゃくり動作を行うに際して、揺動部２を略水平に保持する役目を成すものであり、所定の長さを有する棒材からなる支持体４−１であり、その下端を本体部１の傾斜壁面１−３の傾斜下端側に軸支せしめて、上端を揺動部２の下面に設けられているストッパー部２５に係脱自在に係止されるようにしている。【００３４】  ストッパー部２５は、揺動部２の揺動側下面に配されるものであり、断面略下向きコ字状に開口するブラケットを図示のように、揺動部２の下面に溶着やその他の固着手段によって棒状保持機構４の上端が係脱自在に係止されるようにしている。【００３５】  尚、図示を省略しているが、保持機構４を使用しない時において、該保持機構４が不用意に起き上がらないように係止させて置くための係止手段（ロック手段）が傾斜壁面１−３等の備えられている。
また、保持機構４は前述構成に限定されるものではなく、例えば支持体４−１の下端側を本体部１の傾斜壁面１−３の傾斜上端側に軸支せしめる等でも良い。【００３６】  竿保持部Ａ−２は、自動しゃくり部Ａ−１の揺動部２上に釣竿Ｂの元竿Ｂ−１側を竿方向前後２点支持構造で安定性良く保持したり、同元竿Ｂ−１側を１点支持構造にて前後回動自在に保持する役目を成すもので、揺動部２上に着脱自在に取り付けられる基台２６と、この基台２６の前後２ヶ所に取り付けられる竿受け部５−１，５−２とを備えている。【００３７】  基台２６は、上記取付部１７内に適合状態で収まる程度の高さと大きさを有する平面視略四角形状に折り曲げ形成され、両側壁部における前記取付部１７のピン連結孔１９と対応する部位には同連通孔１９と略同径のピン連通孔２７が開口されており、取付部１７内にセットされた後に、折れピン１６によってピン止め連結されるようにしている。【００３８】  また、基台２６は図示のように、取付部１７にセットされる際して該取付部１７の両側起立壁１７−１の一側起立縁に当接（衝合）させる係止壁２６−１を備えている。つまり、係止壁２６−１が両側起立壁１７−１の一側起立縁に当接することで、取付部１７のピン貫通孔１９と基台２６のピン連通孔２７とが同芯上に合致するようにして、折れピン１６をスムーズに挿通セットし得るようにしている。【００３９】  竿受け部５−１，５−２は、基台２６上の前後部位に、釣竿Ｂの元竿Ｂ−１側を２点支持構造と１点支持構造に夫々保持するように備えられている。【００４０】  竿受け部５−１は、竿受け部５−２との前後２点支持構造で釣竿Ｂの元竿Ｂ−１側を保持する一方で、単独で元竿Ｂ−１側を保持することによって釣り人自身による手動しゃくり動作を可能とするのであり、雄側連結部５−１０と成し、元竿Ｂ−１側の竿方向要所に夫々備えられる前後２ケ所の雌側連結部２８，２９に対して係脱差し換え自在に連結されるように形成されている。
そして、この雄側連結部５−１０は、下端軸支部Ｐ１を支点に起倒動自在に前後に回動するように基台２６に備えられる腕杆３０の上端に前後回動自在に備えられると共に、雌側連結部２８，２９が不用意に抜け外れないように、該連結部２８，２９を夫々係脱自在に係止ロックするためのリング溝状のネック部３１を備えている。【００４１】  雌側連結部２８，２９は、元竿Ｂ−１側におけるリール３２を挟む竿方向前後の要所に夫々備えらるものである。
そして、この雌側連結部２８，２９には図示のように、雄側連結部５−１０との連結状態において同連結部５−１０の上記ネック部３１への係止により抜止を図る不図示のロック部を有するロックレバー３３が夫々備えられており、このロックレバー３３の操作によりロック部が雄側連結部５−１０のネック部３１に対して係止せしめることで、該雄側連結部５−１０から簡単に抜け外れないよう連結保持されるようにしている。【００４２】  他方側の竿受け部５−２は、下端軸支部Ｐ２を支点に若干前後に回動するように基台２６に備えられる腕杆３４を介して該腕杆３４の上端に前後解放の略Ｕ字状に形成されて、釣竿Ｂを受け支えるようにしている。【００４３】  次に、以上の如く構成された本例のしゃくり装置の使用法について簡単に説明する。
先ず、自動しゃくり部Ａ−１の本体部１をクランプ機構９によって船縁Ｃに取り付けると共に、該自動しゃくり部Ａ−１の揺動部２上に竿保持部Ａ−２を取り付ける装置本体Ａの船縁Ｃへの設置を行なう。【００４４】  そして、自動しゃくり動作にて使用する場合は、図１に示すように、竿保持部Ａ−２の竿受け部５−１を備える腕杆３１を倒して竿受け部５−１を上向き状態にする。この状態でリール３２後方の雌側連結部２９を竿受け部５−１に差し込みセットせしめると共に、ロックレバー３３を操作して竿受け部５−１から雌側連結部２９が抜け外れないように係止ロックさせ、リール３２前方の元竿Ｂ−１部位を竿受け部５−１に支え保持させる。【００４５】  この様に、釣竿Ｂの元竿Ｂ−１側を前後２点支持構造によって竿保持部Ａ−２の竿受け部５−１，５−２に保持させた状態で本体部１壁面のパワースイッチ１３を入れてモータ６を起動させる。
これにより、連結機構３を介して揺動部２に伝えられる動力により該揺動部２は上下動せしめて釣竿Ｂの竿先側を自動にて上下動させる自動しゃくり動作が行われる。
この時、連結機構３による出力軸６−１と揺動部２との連結距離を図５に示すように、上下変換部３−２の連結兼可変孔部２４に対する連結ボルト２２の連結位置を変える等の調節を行うことで、竿先側の上下動範囲を任意に変更することができる。また、回転速度摘み１４にてモータ６の回転を調節することで、その上下動速度を速くしたり、遅くする等、自動しゃくり動作の速度を任意に変更することができるものである。【００４６】  そして、自動しゃくり動作に変えて手動しゃくり動作により使用する場合には図６に示すように、竿受け部５−１に対する雌側連結部２９の係止ロック状態をロックレバー３３にて解除せしめて該竿受け部５−１から雌側連結部２９を取り外した後に、腕杆３０を起立させてリール３２前方のもう一方の雌側連結部２８を前記竿受け部５−１に連結保持させる１点支持構造に変更する。
これにより、前後回動自在な竿受け部５−１を揺動支点として竿先側を手動にて上下動させる手動しゃくり動作を行うことができる。【００４７】  尚、本発明の具体的な実施形態にあっては、実施例１詳述の構成に限定されるものではなく、請求項１〜４記載の要旨を免脱しない範囲で種々変更して行うことができるものである。
【図面の簡単な説明】
【００４８】
【図１】本発明船釣り用しゃくり装置の実施形態の一例を示す側面図で、釣竿の元竿側の前後２点支持構造にて保持させた自動しゃくり動作形態を示す
【図２】同背面図で、竿保持部を省略して示す
【図３】図２のＩＩＩ−ＩＩＩ線横断面図
【図４】連結機構の上下変換部を示す斜視図
【図５】（ａ）は自動しゃくり動作による竿先側の上下動範囲を広くした状態を示し、（ｂ）は同上下動範囲を狭くした状態を示す
【図６】手動しゃくり動作時における竿受け部に対する釣竿の保持形態を示す本発明船釣り用しゃくり装置の側面図
【符号の説明】
【００４９】        Ａ：装置本体            Ａ−１：自動しゃくり部
Ａ−２：竿保持部                １：本体部
２：揺動部                  ３：連結機構
３−１：回転部              ３−２：上下変換部
４：保持機構    ５−１，５−２：竿受け部
５−１０：雄側連結部              ６：モータ
２６：基台          ２８，］２９：雌側連結部
３０，３４：腕杆
【図１】
2006238860.tif 000003
【図２】
2006238860.tif 000004
【図３】
2006238860.tif 000005
【図４】
2006238860.tif 000006
【図５】
2006238860.tif 000007
【図６】
2006238860.tif 000008